(57)【要約】  端末装置は、複数の周波数帯域を用いて通信を行う通信部と、アプリケーションプログラム毎に、複数の周波数帯域のいずれの周波数帯域を用いるかを示す周波数帯域対応情報を記憶する記憶部と、アプリケーションプログラムがアクティブな状態になることに応じて、周波数帯域対応情報の示す周波数帯域を用いた通信以外の通信を前記通信部に停止させる制御部とを備える。
2017221459.tif 000002
【特許請求の範囲】
【請求項１】
複数の周波数帯域を用いて通信を行う通信部と、
アプリケーションプログラム毎に、当該アプリケーションプログラムに対応する周波数帯域を示す周波数帯域対応情報を記憶する記憶部と、
前記アプリケーションプログラムがアクティブな状態になることに応じて、前記周波数帯域対応情報の示す周波数帯域を用いた通信以外の通信を前記通信部に停止させる制御部と、
を備える端末装置。
【請求項２】
ユーザの操作を受け付ける入力部をさらに備え、
前記制御部は、入力部が受け付けた操作に基づいて前記周波数帯域対応情報を生成する請求項１に記載の端末装置。
【請求項３】
前記制御部は、前記アプリケーションプログラムがアクティブな状態になることに応じて、前記周波数帯域対応情報の示す周波数帯域を用いた通信を前記通信部に開始させる請求項１または２に記載の端末装置。
【請求項４】
前記制御部は、前記周波数帯域対応情報の示す周波数帯域を用いた通信を開始させることに応じて、前記周波数帯域対応情報の示す周波数帯域を用いた通信の案内情報を出力する請求項３に記載の端末装置。
【請求項５】
端末装置における制御方法において、
複数の周波数帯域を用いて通信を行う第１の過程と、
アプリケーションプログラム毎に、当該アプリケーションプログラムに対応する周波数帯域を示す周波数帯域対応情報を記憶する第２の過程と、
前記アプリケーションプログラムがアクティブな状態になることに応じて、前記周波数帯域対応情報の示す周波数帯域を用いた通信以外の通信を前記第１の過程において停止させる第３の過程と、
を有する制御方法。
【請求項６】
コンピュータに、
複数の周波数帯域を用いて通信を行う第１ステップと、
アプリケーションプログラム毎に、当該アプリケーションプログラムに対応する周波数帯域を示す周波数帯域対応情報を記憶する第２ステップと、
前記アプリケーションプログラムがアクティブな状態になることに応じて、前記周波数帯域対応情報の示す周波数帯域を用いた通信以外の通信を前記第１ステップにおいて停止させる第３ステップと、
を実行させるためのプログラム。
【発明の詳細な説明】
【技術分野】
【０００１】
本発明のいくつかの態様は、端末装置、制御方法、及びプログラムに関する。
本願は、２０１６年６月２０日に、日本に出願された特願２０１６−１２２１３４号に基づき優先権を主張し、その内容をここに援用する。
【背景技術】
【０００２】
第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）において、ライセンス不要バンド（ｕｎｌｉｃｅｎｓｅｄ  ｂａｎｄ）の技術が検討されている。ライセンス不要バンドとは、各国の通信事業免許に基づく専用周波数帯域ではない周波数帯域のことである。ライセンス不要バンドとは、ライセンスなしに自由に使用できる周波数帯域のことである。
また３ＧＰＰにおいて、ＬＡＡ（Ｌｉｃｅｎｓｅ  Ａｓｓｉｓｔｅｄ  Ａｃｃｅｓｓ  ｕｓｉｎｇ  ＬＴＥ）技術が検討されている。ＬＡＡはライセンスバンド（Ｌｉｃｅｎｓｅｄ  Ｂａｎｄ）をプライマリセル（Ｐｒｉｍａｒｙ  Ｃｅｌｌ；ＰＣＥＬＬ、以下、Ｐセル）、ライセンス不要バンドをセカンダリ・サービング・セル（Ｓｅｃｏｎｄａｒｙ  Ｓｅｒｖｉｎｇ  Ｃｅｌｌ；ＳＣＥＬＬ、以下、Ｓセル）としてキャリアアグリゲーション（ＣＡ：Ｃａｒｒｉｅｒ  Ａｇｇｒｅｇａｔｉｏｎ）を行うＬＴＥ（Ｌｏｎｇ  Ｔｅｒｍ  Ｅｖｏｌｕｔｉｏｎ、ＬＴＥは登録商標）の拡張技術である。【０００３】
上記ＬＡＡ技術においては、端末装置はＣＡ技術を用いて、ライセンスバンドを用いた通信と、ライセンス不要バンドを用いた通信を同時に行う。
一方、端末装置が実行するアプリケーションによっては、通信にライセンス不要バンドを使用することが適切でない場合がある。ライセンス不要バンドは、ユーザにとって料金面でメリットがある一方、通信速度や信頼性の面でライセンスバンドに劣る。従って、決済や動画ストリーミングの再生等の、信頼性が重視される通信を行うアプリケーションを利用する場合には、ライセンス不要バンドを使う通信は好ましくない場合がある。
こうした問題を解決する技術として、複数の通信路を同時に使用する端末において、アプリケーション毎に使用する通信路を選択する装置が知られている（特許文献１）。
【先行技術文献】
【特許文献】
【０００４】
【特許文献１】特開２０１６−０２５６６３号公報
【発明の概要】
【発明が解決しようとする課題】
【０００５】
しかしながら、端末装置に複数の通信路が同時に接続されている状況において、ダウンリンクの通信でいずれの通信路を使用するかは、一般には端末装置が選択することはできず、ネットワーク側が選択する。つまり、従来技術では、ダウンリンクの通信においてはライセンス不要バンドの通信を止めることができないという課題があった。【０００６】
本発明のいくつかの態様は上記の点に鑑みてなされたものであり、複数のネットワークが同時に接続されている状況での通信において、ダウンリンクの通信においてもアプリケーション毎に周波数帯域を選択することのできる端末装置、制御方法、及びプログラムを提供する。
【課題を解決するための手段】
【０００７】
（１）本発明のいくつかの態様は上記の課題を解決するためになされたものであり、本発明の一態様は、複数の周波数帯域を用いて通信を行う通信部と、アプリケーションプログラム毎に、当該アプリケーションプログラムに対応する周波数帯域を示す周波数帯域対応情報を記憶する記憶部と、前記アプリケーションプログラムがアクティブな状態になることに応じて、前記周波数帯域対応情報の示す周波数帯域を用いた通信以外の通信を前記通信部に停止させる制御部と、を備える端末装置である。【０００８】
（２）また、本発明の一態様は、端末装置における制御方法において、複数の周波数帯域を用いて通信を行う第１の過程と、アプリケーションプログラム毎に、当該アプリケーションプログラムに対応する周波数帯域を示す周波数帯域対応情報を記憶する第２の過程と、前記アプリケーションプログラムがアクティブな状態になることに応じて、前記周波数帯域対応情報の示す周波数帯域を用いた通信以外の通信を前記第１の過程において停止させる第３の過程と、を有する制御方法である。【０００９】
（３）また、本発明の一態様は、コンピュータに、複数の周波数帯域を用いて通信を行う第１ステップと、アプリケーションプログラム毎に、当該アプリケーションプログラムに対応する周波数帯域を示す周波数帯域対応情報を記憶する第２ステップと、前記アプリケーションプログラムがアクティブな状態になることに応じて、前記周波数帯域対応情報の示す周波数帯域を用いた通信以外の通信を前記第１ステップにおいて停止させる第３ステップと、を実行させるためのプログラムである。
【発明の効果】
【００１０】
本発明のいくつかの態様によれば、複数のネットワークが同時に接続されている状況での通信において、ダウンリンクの通信においてもアプリケーション毎に周波数帯域を選択することができる。
【図面の簡単な説明】
【００１１】
【図１】本発明の第１の実施形態に係る通信システムの概念図である。
【図２】本実施形態に係る端末装置の構成を示す概略ブロック図である。
【図３】本実施形態に係る端末装置の外観の例を示す図である。
【図４】本実施形態に係る周波数帯域の特徴を示す図である。
【図５】本実施形態に係る周波数帯域対応情報テーブルの一例を示す図である。
【図６】本実施形態に係る通信制御処理の一例を示すフローチャートである。
【図７】本実施形態に係る周波数帯域の端末装置の設定画面の第１の例を示す図である。
【図８】本実施形態に係るＬＡＡによる通信を行うか否かに応じた周波数帯域対応情報テーブルの一例を示す図である。
【図９】本実施形態に係る周波数帯域の端末装置の設定画面の第２の例を示す図である。
【図１０】本実施形態に係るライセンス不要バンドを用いた通信を行うか否かに応じた周波数帯域対応情報テーブルの一例を示す図である。
【図１１】本発明の第２の実施形態に係る端末装置の構成を示す概略ブロック図である。
【図１２】本実施形態に係る通信制御処理の一例を示すフローチャートである。
【図１３】本実施形態に係る周波数帯域の設定アプリケーションの設定画面の第１の例を示す図である。
【図１４】本実施形態に係る周波数帯域の設定アプリケーションの設定画面の第２の例を示す図である。
【図１５】本発明の第３の実施形態に係る端末装置の構成を示す概略ブロック図である。
【図１６】本実施形態に係る通信制御処理の一例を示すフローチャートである。
【図１７】本実施形態に係る端末装置の画面の例を示す図である。
【発明を実施するための形態】
【００１２】
（第１の実施形態）
以下、図面を参照しながら本発明の実施形態について詳しく説明する。
図１は、本実施形態に係る通信システムの概念図である。通信システム１は、端末装置Ｔ１と、ライセンス不要バンド基地局装置２０と、ライセンスバンド基地局装置３０と、を含んで構成される。
図１においては、ライセンスバンド基地局装置３０が１つの場合を例にするが、一般にはライセンスバンド基地局装置３０の個数は複数であってもよい。ライセンスバンド基地局装置３０から電波の届くエリアでは、ＣＡを用いた通信が可能な複数のライセンスバンド基地局装置が存在し端末装置Ｔ１から通信可能であるとする。
【００１３】
端末装置Ｔ１は、ＬＴＥ通信を行う端末装置であり、ＬＡＡ通信にも対応可能である。
端末装置Ｔ１は、例えば、スマートフォン、タブレット端末、またはパーソナルコンピュータによって構成される。
また、端末装置Ｔ１は、その他、端末装置の一般的な公知の機能を備える。
【００１４】
ＬＡＡは、ライセンスバンドを使用するＬＴＥ通信と組み合わせて使用されることが想定されている。ＬＡＡは、ライセンスバンドを使用するＬＴＥ通信を維持しつつ、ライセンス不要バンドを使用する通信も可能な場合には、ライセンスバンドを使用する回線とライセンス不要バンドを使用する回線とを束ねて使用する、いわゆるＣＡの実現を可能にする。
【００１５】
広帯域の無線通信を実現する要素技術として、ＣＡが用いられることがある。ＣＡは、一度に複数のコンポーネントキャリア（ＣＣ：Ｃｏｍｐｏｎｅｎｔ  Ｃａｒｒｉｅｒ）と呼ばれる周波数帯域を用いて高速、大容量の通信を実現する技術である。
通信システム１において、ＣＡに用いられる基地局装置には、１つのプライマリセル（Ｐｒｉｍａｒｙ  Ｃｅｌｌ；ＰＣＥＬＬ、以下、Ｐセル）であるＰセルＣ０１Ｂを構成するライセンスバンド基地局装置３０と、セカンダリ・サービング・セル（Ｓｅｃｏｎｄａｒｙ  Ｓｅｒｖｉｎｇ  Ｃｅｌｌ；ＳＣＥＬＬ、以下、Ｓセル）であるＳセルＣ０１Ａを構成するライセンス不要バンド基地局装置２０がある。ＰセルＣ０１Ｂを構成するライセンスバンド基地局装置３０は、端末装置Ｔ１との間で制御情報とユーザデータを送受信する。ＳセルＣ０１Ａを構成するライセンス不要バンド基地局装置２０は、主にユーザデータを送受信する基地局装置である。ＣＡにより、端末装置Ｔ１は、ＰセルＣ０１ＢとＳセルＣ０１Ａとのそれぞれの周波数帯域を用いて接続することができる。
このように、通信システム１においては、ＣＡにＬＡＡを用いる場合、端末装置Ｔ１は、Ｐセルとの通信にライセンスバンドを使用し、Ｓセルとの通信にライセンス不要バンドを使用する。また、ＣＡにＬＡＡを用いない場合、端末装置Ｔ１は、ＰセルとＳセル共にライセンスバンドを使用する。
【００１６】
ＬＡＡはＣＡのＳセルとして利用されることが予定されている。ＬＡＡの利用は、３ＧＰＰにおいて、リリース（Ｒｅｌｅａｓｅ）１３では下りリンクのみだが、リリース１４では上りリンクも含まれる予定である。ＬＡＡで用いられるライセンス不要バンドは、例えば無線ＬＡＮと同様の５ＧＨｚ帯で計画されておりスモールセル（Ｓｍａｌｌ  Ｃｅｌｌ）での運用の場合にはＬＡＡ通信のセルのエリアは小さい。ここでスモールセルとは、通常の基地局の補完のために用いられる小型で通信エリアの狭い基地局装置のセルを指す。
【００１７】
ライセンスバンド基地局装置３０は、ライセンスバンド（第１周波数帯域）を利用したＬＴＥ通信によって、自装置から電波が届く範囲であるＰセルＣ０１Ｂ内に在圏している端末装置Ｔ１と通信接続する基地局装置である。
【００１８】
ライセンス不要バンド基地局装置２０は、ライセンス不要バンド（第２周波数帯域）を利用したＬＴＥ通信によって、自装置から電波が届く範囲であるＳセルＣ０１Ａ内に在圏している端末装置Ｔ１と通信接続する基地局装置である。
ライセンス不要バンド基地局装置２０は、例えば、ｅＮｏｄｅＢ（ｅｖｏｌｖｅｄ  Ｎｏｄｅ  Ｂ）によって構成される。ｅＮｏｄｅＢとは、ＬＴＥ方式の無線通信に対応した無線基地局である。
【００１９】
図２は、本実施形態に係る端末装置Ｔ１の構成を示す概略ブロック図である。端末装置Ｔ１は、制御部１１、表示部１２、入力部１３、記憶部１４、及び通信部１５を含んで構成される。
【００２０】
制御部１１には、複数のアプリケーションプログラム（以下、アプリケーションと称する）がインストールされている。制御部１１は、複数のアプリケーションの各々で示される処理を同時に実行することができる。以下では、アプリケーションで示される処理を実行することを、アプリケーションを実行すると表現することがある。
【００２１】
制御部１１は、アプリケーション実行部１１１と、アプリケーション通信管理部１１２と、通信制御部１１３として機能する。制御部１１は、これらの機能により、アプリケーションの実行、及び通信に関わる各種の処理を実行する。制御部１１は、例えばＣＰＵ（Ｃｅｎｔｒａｌ  Ｐｒｏｃｅｓｓｉｎｇ  Ｕｎｉｔ）などの処理装置や、ＲＡＭ（Ｒａｎｄｏｍ  Ａｃｃｅｓｓ  Ｍｅｍｏｒｙ）などの主記憶装置を含んで構成される。
【００２２】
アプリケーション実行部１１１は、制御部１１にインストールされているアプリケーションの実行を制御する。アプリケーションは、端末装置Ｔ１の機能を発揮する処理を実行するためのプログラムである。
アプリケーション実行部１１１は、入力部１３から入力された操作信号に基づいてアプリケーションの起動、実行の終了を制御する。
アプリケーション実行部１１１は、複数のアプリケーションを同時に実行することができる。このとき、ユーザの操作を受け付ける対象であるアプリケーションは１つである。
アプリケーションが実行中ではあるがユーザの操作を受け付ける対象となっていない場合、アプリケーションはバックグラウンドで実行されていると称する。
【００２３】
アプリケーション実行部１１１は、実行中のアプリケーションの出力を表示部１２にウィンドウとして表示させる。アプリケーション実行部１１１は、実行中の複数のアプリケーションの出力に基づく画像信号（表示用画像信号）を表示部１２に出力する。これにより、アプリケーション実行部１１１は、マルチウィンドウ機能のように複数のウィンドウを表示部１２に表示させることができる。表示中のウィンドウのうち、ユーザの入力や操作の対象となっているウィンドウをアクティブウィンドウと呼ぶ。また、アプリケーションの出力がアクティブウィンドウに表示されているとき、当該アプリケーションはアクティブであると表現する。
アプリケーション実行部１１１は、複数のアプリケーションを実行している場合、入力部１３から入力される操作信号に応じて、アクティブであるアプリケーションを選択する。以下、アプリケーション実行部１１１が、アクティブであるアプリケーションを選択することを、アプリケーションをアクティブにすると表現する。
【００２４】
アプリケーション実行部１１１は、入力部１３から入力された操作信号に基づいて、アプリケーションを実行して取得した画像のレイヤ（階層）を制御する。アプリケーション実行部１１１は、例えば、新たに取得した画像のレイヤを、他の画像のレイヤよりも優先されるよう（つまり、最上位）に設定する。つまり、レイヤは、複数の画像のうち当該画像を表示させる際の優先度を示す指標である。同一のアプリケーションにより取得された画像が複数個ある場合には、画像間で異なるレイヤが設定されてもよいし、複数個の画像について同一のレイヤが設定されてもよい。
【００２５】
また、アプリケーション実行部１１１は、所定の種類の画像については取得された時刻にかかわらず、その他の種類の画像のレイヤよりも優先されるように設定してもよい。所定の種類の画像は、例えば、ポップアップウィンドウ、緊急情報、等である。このような画像を優先レイヤ画像と呼ぶことがある。優先レイヤ画像同士では、その種類に応じてレイヤの優劣が定められてもよいし、新たに取得された優先レイヤ画像ほど優先されるようにレイヤが設定されてもよい。
アプリケーション実行部１１１は、アプリケーション毎の画像のレイヤを示すレイヤ情報を生成する。レイヤ情報が示す画像のレイヤは複数になりうる。
アプリケーション実行部１１１は、アプリケーションを実行して生成した画像信号と、生成したレイヤ情報とを表示部１２に出力する。
【００２６】
アプリケーション実行部１１１は、アプリケーションの実行がネットワークを通じた通信を伴うものである場合、通信部１５を用いて通信を行う。
【００２７】
アプリケーション通信管理部１１２は、ライセンス不要バンドを用いた通信を行っている場合、アクティブになったアプリケーションについて、ライセンス不要バンドを用いた通信を行うか否か判定する。アプリケーション通信管理部１１２は、判定結果に基づき通信制御部１１３を通じて通信部１５を制御する。ここで、アプリケーション通信管理部１１２は、アプリケーション毎に、当該アプリケーションプログラムに対応する周波数帯域を示す周波数帯域対応情報に基づき判定をする。周波数帯域対応情報については後述する。アプリケーション通信管理部１１２は、アクティブなアプリケーションが、ライセンス不要バンドを用いた通信を行うアプリケーションに該当しない場合、判定結果を示す情報を通信制御部１１３に出力する。
すなわち、制御部１１は、アプリケーションプログラムがアクティブな状態になったとき、周波数帯域対応情報の示す周波数帯域を用いた通信以外の通信を通信部１５に停止させる。
なお、アプリケーション通信管理部１１２が、ライセンス不要バンドを用いた通信を行うか否か判定するタイミングは、上記のように当該アプリケーションがアクティブな状態になったときに限らない。アプリケーション通信管理部１１２は、当該アプリケーションをアクティブにするトリガー事象を検出した際に、ライセンス不要バンドを用いた通信を行うか否か判定してもよい。ここで、当該アプリケーションをアクティブにするトリガー事象とは、例えば、当該アプリケーションをアクティブにするユーザの操作やイベントの発生、他のアプリケーションからの当該アプリケーションの呼び出しなどである。
なお、端末装置Ｔ１は、通信路を閉じた場合、ダウンリンクにおいても、当該通信路を用いた通信を行うことができなくなる。これは、端末装置Ｔ１がダウンリンクで用いる通信路を選択したのと同じ効果が得られることを意味する。
【００２８】
通信制御部１１３は、アプリケーション通信管理部１１２から取得した判定結果に基づき、通信に用いる周波数帯域を制御する。具体的には、通信制御部１１３は、第２通信部１５３及び第２ＲＦ部への電力供給を停止させる。これにより、通信制御部１１３は、ライセンス不要バンドを用いた通信機能を無効にする。
なお、ライセンス不要バンドを用いた通信機能を無効にする方法は、電力供給を停止させる方法以外の方法であってもよい。例えば、ライセンス不要バンドを用いた通信機能を無効にする方法は、ソフトウェア制御により通信機能を無効にする方法であってもよい。
また、以下では、ライセンス不要バンドを用いた通信機能が無効の状態であっても、ライセンスバンドを用いた通信機能は常に有効である状態について説明する。
【００２９】
また、通信制御部１１３は、アプリケーション通信管理部１１２から要求があった場合、通信部１５が通信に用いている周波数帯域を示す情報を、アプリケーション通信管理部１１２に出力する。ここで、周波数帯域を示す情報は、通信部１５が通信に用いている周波数帯域が、ライセンスバンドであるか、ライセンス不要バンドであるかを示す。
【００３０】
表示部１２は、各種の情報を表示する。表示部１２は、アプリケーション実行部１１１から入力された画像信号に基づいて表示用の画像信号（表示用画像信号）を生成する。アプリケーション毎の画像信号が複数ある場合には、表示部１２は、複数の画像信号がそれぞれ示す画像をアプリケーション実行部１１１から入力されたレイヤ情報に基づいて上位のレイヤほど優先されるように重畳する。
表示部１２はディスプレイ、例えば液晶ディスプレイ、または有機エレクトロルミネッセンス（ＥＬ；Ｅｌｅｃｔｒｏｌｕｍｉｎｅｓｃｅｎｃｅ）ディスプレイを含んで構成される。
【００３１】
入力部１３は、端末装置Ｔ１のユーザからの各種の操作を受け付ける。各種の操作とは、例えば、アプリケーションの起動、実行の終了の他、アプリケーションを実行して取得した画像のレイヤを制御することである。入力部１３は、受け付けた操作に基づき、当該操作を示す操作信号を生成する。入力部１３は、生成した操作信号をアプリケーション実行部１１１に出力する。
入力部１３は操作入力部材、例えば操作ボタン、キーボード、またはタッチパネルを含んで構成される。
【００３２】
記憶部１４は、周波数帯域対応情報１４１を、周波数帯域対応情報テーブルに記憶する。周波数帯域対応情報１４１の具体例については後述する。周波数帯域対応情報１４１は、予め記憶部１４に記憶されている。ただし、周波数帯域対応情報１４１は、図７、図９で説明するようにユーザによる設定画面を通じた操作入力に基づき更新され得る。
【００３３】
通信部１５は、第１通信部１５１と、第１ＲＦ部１５２と、第２通信部１５３と、第２ＲＦ部１５４とを備える。
通信部１５は、ライセンス不要バンド基地局装置２０と、ライセンスバンド基地局装置３０との通信接続を行う。すなわち、通信部１５は、複数の周波数帯域を用いて通信を行う。
【００３４】
第１通信部１５１は、第１ＲＦ部１５２及びアンテナを介し、ＬＴＥの通信方式を用いて、ライセンスバンド基地局装置３０と各種のデータを送受信する。
第１ＲＦ部１５２は、中間周波数の信号と高周波数の信号とを変換する。ここで中間周波数の信号は、第１通信部１５１と第１ＲＦ部１５２との間で入出力されるデータを示す。高周波数の信号は、アンテナと第１ＲＦ部１５２との間で入出力されるデータを示す。
【００３５】
第２通信部１５３は、第２ＲＦ部１５４及びアンテナを介し、ＬＴＥの通信方式を用いて、ライセンス不要バンド基地局装置２０と各種のデータを送受信する。
第２ＲＦ部１５４は、中間周波数の信号と高周波数の信号とを変換する。ここで中間周波数の信号は、第２通信部１５３と第２ＲＦ部１５４との間で入出力されるデータを示す。高周波数の信号は、アンテナと第２ＲＦ部１５４との間で入出力されるデータを示す。
【００３６】
図３は、本実施形態に係る端末装置Ｔ１の外観の例を示す図である。端末装置Ｔ１は、タッチパネルＴＰ１０を備える。タッチパネルＴＰ１０は、端末装置Ｔ１の表面の大部分を覆い、表示部１２、及び入力部１３を含んで構成される。タッチパネルＴＰ１０には、制御部１１が実行中のアプリケーションの出力が表示される。図３に示す例では、ユーザは操作ボタンを通じて操作入力を行ってもよい。
【００３７】
図４は、本実施形態に係る周波数帯域の特徴を示す図である。
ライセンス不要バンドは、ユーザにとって料金面でメリットがある一方、通信速度や信頼性の面でライセンスバンドに劣る。従って、ライセンス不要バンドは、信頼性を要する状況では許容されないことがある。
【００３８】
端末装置Ｔ１にインストールされているアプリケーションに伴う用途には、例えば以下のものがある。ただし、これらは機能毎に分類したものである。
通常のブラウジングは、ブラウザアプリケーションにより、主にインターネット上の情報を閲覧する用途を指す。
ＳＮＳアプリケーションは、インターネット上の交流を通して社会的ネットワーク（ソーシャル・ネットワーク）を構築するサービスを提供するアプリケーションである。
ダウンロード（ＤＬ：Ｄｏｗｎｌｏａｄ）は、ネットワークを通じて外部サーバからのファイルのダウンロードを実行する。アップロード（ＵＬ：Ｕｐｌｏａｄ）は、ネットワークを通じて外部サーバへのファイルのアップロードを実行する。
これらのアプリケーションには、ライセンス不要バンドの利用が想定される。
【００３９】
動画ストリーミングは、インターネット上の動画をストリーミング再生する。また、常時接続型のネットゲームは、オンラインによるネットワークを利用したゲームである。
これら、動画ストリーミングや常時接続型のネットゲームなどの用途は、大量のデータを伴う通信が想定されるため、特に高速通信、及び安定性が求められる。
ウェブ決済は、ブラウザアプリケーションを通じて、電子データをやり取りすることで支払いを行うことのできるサービスである。ウェブ決済は、例えば、インターネットでの商品、サービスの購入、及びネットバンキングなどで用いられる。ウェブ決済では、特に、信頼性が必要とされる。これらの通信には、信頼性が高く通信速度の高いライセンスバンドを用いることが想定される。
【００４０】
図５は、本実施形態に係る周波数帯域対応情報テーブルの一例を示す図である。図示するように周波数帯域対応情報テーブルは、アプリケーション、及び周波数帯域の各項目の列を有している。周波数帯域対応情報テーブルは、アプリケーション毎に周波数帯域対応情報が格納される行と列からなる２次元の表形式のデータである。
周波数帯域対応情報は、ある用途を伴うアプリケーションがアクティブである場合に、端末装置Ｔ１がライセンス不要バンドを用いた通信を行うか否かを示す情報である。
なお、図５におけるアプリケーションとは、機能毎に分類されている。つまり、図５におけるアプリケーションは、端末装置Ｔ１にインストールされているアプリケーションと１対１に対応するとは限らない。
【００４１】
例えば、図５の１行目は、アクティブなアプリケーションが通常のブラウジング用のアプリケーションである場合、端末装置Ｔ１がライセンス不要バンドを用いた通信を行うことを表わしている。また、図５の４行目では、アクティブなアプリケーションが動画のストリーミングを伴う場合、端末装置Ｔ１がライセンス不要バンドを用いた通信を行わないことを表わしている。つまり、端末装置Ｔ１は、動画のストリーミングには、ライセンスバンドを用いた通信を行う。
【００４２】
図６は、本実施形態に係る通信制御処理の一例を示すフローチャートである。本フローチャートで示す処理は、端末装置Ｔ１が待機状態になった場合に開始される。ここで、端末装置Ｔ１が待機状態であるとは、端末装置Ｔ１が操作信号の入力を待っている状態を意味する。このとき、複数のアプリケーションが起動していてもよい。
【００４３】
（ステップＳ１００）アプリケーション実行部１１１は、アプリケーションを起動し、当該アプリケーションをアクティブにする。または、アプリケーション実行部１１１は、ユーザからの操作入力に基づき、実行中のアプリケーションをアクティブにする。その後、アプリケーション実行部１１１は、ステップＳ１０１に処理を進める。
【００４４】
（ステップＳ１０１）アプリケーション通信管理部１１２は、通信制御部１１３から通信部１５が通信に用いている周波数帯域を示す情報を取得する。アプリケーション通信管理部１１２は、取得した情報に基づき、通信部１５によりライセンス不要バンドを用いた通信が行われているか否か判定する。アプリケーション通信管理部１１２は、通信部１５によりライセンス不要バンドを用いた通信が行われていると判定した場合（ＹＥＳ）、ステップＳ１０２に処理を進める。一方、通信部１５によりライセンス不要バンドを用いた通信が行われていないと判定した場合（ＮＯ）、アプリケーション通信管理部１１２は、ステップＳ１０５に処理を進める。
【００４５】
（ステップＳ１０２）アプリケーション通信管理部１１２は、記憶部１４から周波数帯域対応情報１４１を読み込む。アプリケーション通信管理部１１２は、読み込んだ周波数帯域対応情報１４１に基づき、アクティブなアプリケーションが、その実行において、ライセンス不要バンドを用いた通信を行わないアプリケーションに該当するか否かを判定する。
アプリケーション通信管理部１１２は、アクティブなアプリケーションが、その実行において、ライセンス不要バンドを用いた通信を行わないアプリケーションに該当すると判定した場合（ＹＥＳ）、判定結果を示す情報を通信制御部１１３に出力する。その後、アプリケーション通信管理部１１２は、ステップＳ１０３に処理を進める。
一方、アクティブなアプリケーションが、その実行において、ライセンス不要バンドを用いた通信を行わないアプリケーションに該当しないと判定した場合（ＮＯ）、アプリケーション通信管理部１１２は、ステップＳ１０５に処理を進める。
【００４６】
（ステップＳ１０３）通信制御部１１３は、アプリケーション通信管理部１１２から、ステップＳ１０２の判定結果を示す情報を取得する。通信制御部１１３は、ライセンス不要バンドを用いた通信を切断する。その後、通信制御部１１３は、ステップＳ１０４に処理を進める。
【００４７】
（ステップＳ１０４）通信制御部１１３は、ライセンスバンドのみに接続するように、通信部１５を制御する。その後、通信制御部１１３は、ステップＳ１０５に処理を進める。
【００４８】
（ステップＳ１０５）通信部１５は、その時点で使用中の周波数帯域を使用して通信を行う。その後、通信部１５は、ステップＳ１０５の処理を終了する。
【００４９】
図７は、本実施形態に係る周波数帯域の端末装置の設定画面の第１の例を示す図である。図７に示す例では、ＬＡＡによる通信を行うか否かの選択が、端末装置Ｔ１のタッチパネルＴＰ２０からの操作信号に基づき行われる。そのため、ユーザは、タッチパネルＴＰ２０に表示されるスイッチｂ２１、ｂ２２、ｂ２３、ｂ２４に触れることで、各項目毎にＬＡＡによる通信を行うか否か選択することができる。
ここで、ＬＡＡによる通信を行うとは、ライセンスバンドを用いた通信とライセンス不要バンドを用いた通信の両方を行うことを意味する。ＬＡＡによる通信を行わないとは、ライセンスバンドを用いた通信を行うが、ライセンス不要バンドを用いた通信を行わないことを意味する。
アプリケーションの全体についてＬＡＡによる通信を行うか否かは、「ＬＡＡを使用する」のスイッチｂ２１を通じて選択できる。ただし、動画ストリーミング、ゲーム、ウェブ決済については、「動画」、「ゲーム」「決済」の各々のスイッチｂ２２、ｂ２３、ｂ２４により選択が優先される。図７に示す例では、ウェブ決済を除く他のアプリケーションでは、端末装置Ｔ１はＬＡＡによる通信を行う設定がされている。スイッチｂ２１、ｂ２２、ｂ２３は、ＬＡＡによる通信を行う設定が有効であるスイッチの状態を示している。一方、スイッチｂ２４は、ＬＡＡによる通信を行う設定が有効でないスイッチの状態を示している。図７に示す例では、ウェブ決済の場合のみ、端末装置Ｔ１はＬＡＡによる通信を一時的に中断する。
【００５０】
図８は、本実施形態に係るＬＡＡによる通信を行うか否かに応じた周波数帯域対応情報テーブルの一例を示す図である。図８では、図７で示した設定画面の例に対応する周波数帯域対応情報テーブルの一例が示されている。
例えば、図８の１行目では、アクティブなアプリケーションが動画ストリーミング用のアプリケーションである場合、端末装置Ｔ１がライセンスバンド、及びライセンス不要バンドを用いた通信を行うことを表わしている。つまり、図８の１行目では、端末装置Ｔ１がＬＡＡによる通信を行うことを表している。また、図８の３行目では、アクティブなアプリケーションがウェブ決済用のアプリケーションである場合、端末装置Ｔ１がライセンスバンドよる通信を行うが、ライセンス不要バンドを用いた通信を行わないことを表わしている。つまり、図８の３行目では、端末装置Ｔ１がＬＡＡによる通信を行わないことを表している。また、図８の４行目では、図７の設定画面で「ＬＡＡを使用する」という設定がなされていることに応じて、個別に設定がなされている動画ストリーミング、ゲーム、ウェブ決済以外のその他のアプリケーションについて、端末装置Ｔ１がライセンスバンド、及びライセンス不要バンドを用いた通信を行うことを表わしている。つまり、図８の４行目では、端末装置Ｔ１がＬＡＡによる通信を行うことを表している。
【００５１】
図９は、本実施形態に係る周波数帯域の端末装置の設定画面の第２の例を示す図である。図９に示す例では、ライセンス不要バンドを用いた通信を行うか否かの選択を、端末装置Ｔ１のタッチパネルＴＰ３０から行うことができる。ユーザは、タッチパネルＴＰ３０に表示されるスイッチｂ３１、ｂ３２、ｂ３３、ｂ３４に触れることで、各項目毎にライセンス不要バンドを用いた通信を行うか否か選択することができる。
ここで、ライセンス不要バンドを用いた通信を行うとは、ライセンスバンドを用いた通信は行わず、ライセンス不要バンドを用いた通信のみを行うことを意味する。ライセンス不要バンドを用いた通信を行わないとは、ライセンス不要バンドを用いた通信は行わず、ライセンスバンドを用いた通信のみを行うことを意味する。
図９に示す例では、動画ストリーミング、ゲーム、及びウェブ決済を除く他のアプリケーションでは、端末装置Ｔ１はライセンス不要バンドを用いた通信を行う設定がされている。スイッチｂ３１は、ライセンス不要バンドを用いた通信を行う設定が有効であるスイッチの状態を示している。一方、スイッチｂ３２、ｂ３３、ｂ３４は、ライセンス不要バンドを用いた通信を行う設定が有効でないスイッチの状態を示している。図９に示す例では、動画のストリーミング、ゲーム、及びウェブ決済の場合のみ、端末装置Ｔ１はライセンス不要バンドを用いた通信を一時的に中断する。
【００５２】
図１０は、本実施形態に係るライセンス不要バンドを用いた通信を行うか否かに応じた周波数帯域対応情報テーブルの一例を示す図である。図１０では、図９で示した設定画面の例に対応する周波数帯域対応情報テーブルの一例が示されている。
例えば、図１０の１行目では、アクティブなアプリケーションが動画ストリーミング用のアプリケーションである場合、端末装置Ｔ１がライセンスバンドを用いた通信を行うことを表わしている。また、図１０の４行目では、図７の設定画面で「ライセンス不要バンドを使用する」という設定がなされていることに応じて、個別に設定がなされている動画ストリーミング、ゲーム、ウェブ決済以外のその他のアプリケーションについて、端末装置Ｔ１がライセンス不要バンドを用いた通信を行うことを表わしている。
【００５３】
図７、図９に示した例では、周波数帯域対応情報１４１は、タッチパネルＴＰ２０、またはＴＰ３０を通じた操作信号に基づきアプリケーション通信管理部１１２により生成される。すなわち、制御部１１は、入力部１３が受け付けた操作に基づいて周波数帯域対応情報１４１を生成する。生成された周波数帯域対応情報１４１は、記憶部１４の周波数帯域対応情報テーブルに記憶される。すなわち、記憶部１４は、アプリケーションプログラム毎に、対応する周波数帯域を示す周波数帯域対応情報１４１を記憶する。
【００５４】
なお、本実施形態においては、複数の周波数帯域としてライセンスバンドとライセンス不要バンドが想定されているが、複数の周波数帯域はこれらに限らない。例えば、複数のライセンスバンドが利用可能である場合、通信部１５はそれらの複数のライセンスバンドのうちいずれを用いて通信を行ってもよい。その場合、周波数帯域対応情報１４１は、アプリケーションプログラム毎にそれらの複数のライセンスバンドの全てを対応付けてもよいし、その内の一部を対応付けてもよい。同様に、例えば、複数のライセンス不要バンドが利用可能である場合、通信部１５はそれらの複数のライセンス不要バンドのうちいずれを用いて通信を行ってもよい。その場合、周波数帯域対応情報１４１は、アプリケーションプログラム毎にそれらの複数のライセンス不要バンドの全てを対応付けてもよいし、その内の一部を対応付けてもよい。
また、複数のライセンスバンド、及び複数のライセンス不要バンドが利用可能である場合、通信部１５はそれらの複数のライセンスバンド、及び複数のライセンス不要バンドのうちいずれを用いて通信を行ってもよい。その場合、周波数帯域対応情報１４１は、アプリケーションプログラム毎に、ライセンスバンドの全てとライセンス不要バンドの全てを対応付けてもよい。あるいは、周波数帯域対応情報１４１は、アプリケーションプログラム毎に、ライセンスバンドの全てとライセンス不要バンドの一部を対応付けてもよい。あるいは、周波数帯域対応情報１４１は、アプリケーションプログラム毎に、ライセンスバンドの一部とライセンス不要バンドの全てを対応付けてもよい。あるいは、周波数帯域対応情報１４１は、アプリケーションプログラム毎に、ライセンスバンドの一部とライセンス不要バンドの一部を対応付けてもよい。
なお、利用可能な複数のライセンスバンドの中から、互いに干渉を起こしにくいものを、アプリケーションプログラムに対応づけることが考えられる。ライセンス不要バンドについても同様に、利用可能な複数のライセンス不要バンドの中から、互いに干渉を起こしにくいものを、アプリケーションプログラムに対応づけることが考えられる。
【００５５】
以上に説明したように、本実施形態に係る端末装置Ｔ１は、通信部１５、記憶部１４、制御部１１を備える。
通信部１５は、複数の周波数帯域（この一例において、ライセンスバンド及びライセンス不要バンド）を用いて通信を行う。
記憶部１４は、アプリケーションプログラム毎に、当該アプリケーションプログラムに対応する周波数帯域を示す周波数帯域対応情報１４１を記憶する。
制御部１１は、アプリケーションプログラムがアクティブな状態になることに応じて、周波数帯域対応情報１４１の示す周波数帯域を用いた通信以外の通信を通信部１５に停止させる。また、制御部１１は、入力部１３が受け付けた操作に基づいて周波数帯域対応情報１４１を生成する。
この構成により、本実施形態に係る端末装置Ｔ１は、複数のネットワークが同時に接続されている状況での通信において、ダウンリンクの通信においてもアプリケーション毎にネットワークを選択することができる。
【００５６】
（第２の実施形態）
以下、図面を参照しながら本発明の第２の実施形態について詳しく説明する。上記第１の実施形態では、端末装置が、アクティブであるアプリケーション毎にライセンス不要バンドを用いた通信を行うか否か判定する場合について説明した。本実施形態では、アプリケーションが、アクティブであるアプリケーション毎にライセンス不要バンドを用いた通信を行うか否か判定する場合について説明をする。
以下、本実施形態に係る端末装置を端末装置Ｔ１ａと称する。
【００５７】
図１１は、本実施形態に係る端末装置Ｔ１ａの構成を示す概略ブロック図である。本実施形態に係る端末装置Ｔ１ａ（図１１）は、第１の実施形態に係る端末装置Ｔ１（図２）において、アプリケーション実行部１１１、及びアプリケーション通信管理部１１２に代えてアプリケーション実行部１１１ａ、及びアプリケーション通信管理部１１２ａを備えて構成される。以下、第１の実施形態との差異点を主に説明する。第１の実施形態と同一の構成については、同一の符号を付してその説明を援用する。
【００５８】
図１２は、本実施形態に係る通信制御処理の一例を示すフローチャートである。本フローチャートで示す処理は、端末装置Ｔ１ａが待機状態になった場合に開始される。このとき、複数のアプリケーションが起動していてもよい。
ステップＳ２００、及びステップＳ２０１の処理は、図６で説明したステップＳ１００、及びステップＳ１０１の処理と同様であるため、その説明を省略する。
【００５９】
（ステップＳ２０２）アプリケーション実行部１１１ａは、設定アプリケーションを起動させる。このとき、アプリケーション実行部１１１ａは、設定アプリケーションをバックグラウンドで実行する。アプリケーション実行部１１１ａは、設定アプリケーションの制御に基づき処理を行う。
設定アプリケーションのステップＳ２０２における制御は、アプリケーション通信管理部１１２に、図６で説明したステップＳ１０２と同様の処理を実行させるものである。
具体的には、アプリケーション実行部１１１ａは、アプリケーション通信管理部１１２ａに、記憶部１４から周波数帯域対応情報１４１を読み込ませる。アプリケーション実行部１１１ａは、アプリケーション通信管理部１１２ａに、読み込んだ周波数帯域対応情報１４１に基づき、アクティブなアプリケーションが、その実行において、ライセンス不要バンドを用いた通信を行わないアプリケーションに該当するか否かを判定させる。
アプリケーション通信管理部１１２ａにより、アクティブなアプリケーションが、その実行において、ライセンス不要バンドを用いた通信を行わないアプリケーションに該当すると判定された場合（ＹＥＳ）、アプリケーション実行部１１１ａは、判定結果を示す情報を通信制御部１１３ａに出力させる。その後、アプリケーション実行部１１１ａは、ステップＳ２０３に処理を進める。
一方、アプリケーション通信管理部１１２ａにより、アクティブなアプリケーションが、その実行において、ライセンス不要バンドを用いた通信を行わないアプリケーションに該当しないと判定された場合（ＮＯ）、アプリケーション実行部１１１ａは、ステップＳ２０６に処理を進める。
【００６０】
（ステップＳ２０３）アプリケーション実行部１１１ａは、設定アプリケーションの実行内容に基づき、アプリケーション通信管理部１１２ａにステップＳ２０２の判定結果を示す情報を通信制御部１１３ａに出力させる。アプリケーション実行部１１１ａは、その後、ステップＳ２０４に処理を進める。
【００６１】
ステップＳ２０４からステップＳ２０６までの処理は、図６で説明した、ステップＳ１０３からステップＳ１０５までの処理と同様であるため、説明を省略する。
以上で、制御部１１ａは、本フローチャートに示す処理を終了する。
【００６２】
図１３は、本実施形態に係る周波数帯域の設定アプリケーションの設定画面の第１の例を示す図である。図１４は、本実施形態に係る周波数帯域の設定アプリケーションの設定画面の第２の例を示す図である。図１３及び図１４で示す設定画面が、図７及び図９の設定画面と異なる点は、これらが設定アプリケーションの実行により表示されている点である。アプリケーション実行部１１１ａは、アプリケーション通信管理部１１２ａに、がタッチパネルＴＰ２０ａ、及びタッチパネルＴＰ３０ａを通じて入力される操作信号に基づき周波数帯域対応情報１４１ａを生成させる。
【００６３】
以上に説明したように、本実施形態に係る端末装置Ｔ１ａは、通信部１５、記憶部１４、制御部１１ａを備える。
通信部１５は、複数の周波数帯域（この一例において、ライセンスバンド及びライセンス不要バンド）を用いて通信を行う。
記憶部１４は、アプリケーションプログラム毎に、当該アプリケーションプログラムに対応する周波数帯域を示す周波数帯域対応情報１４１を記憶する。
アプリケーション実行部１１１ａは、設定アプリケーションの実行内容に基づき、アプリケーション通信管理部１１２ａに、アプリケーションプログラムがアクティブな状態になることに応じて、周波数帯域対応情報１４１ａの示す周波数帯域を用いた通信以外の通信を通信部１５に停止させる。つまり、制御部１１ａは、アプリケーションプログラムがアクティブな状態になることに応じて、周波数帯域対応情報１４１ａの示す周波数帯域を用いた通信以外の通信を通信部１５に停止させる。また、制御部１１ａは、入力部１３が受け付けた操作に基づいて周波数帯域対応情報１４１を生成する。
この構成により、本実施形態に係る端末装置Ｔ１ａは、複数のネットワークが同時に接続されている状況での、ダウンリンクの通信においてもアプリケーション毎にネットワークを選択することができる。
【００６４】
（第３の実施形態）
以下、図面を参照しながら本発明の第３の実施形態について詳しく説明する。本実施形態では、バックグラウンドで実行されていたライセンスバンドに対応づけられているアプリケーションがアクティブになり端末装置がライセンスバンドに接続していない場合、端末装置がライセンスバンドを用いた通信の許可をユーザに求める実施例を扱う。
以下、本実施形態に係る端末装置を端末装置Ｔ１ｂと称する。
【００６５】
図１５は、本実施形態に係る端末装置の構成を示す概略ブロック図である。本実施形態に係る端末装置Ｔ１ｂ（図１５）は、第１の実施形態に係る端末装置Ｔ１（図２）において、アプリケーション通信管理部１１２、及び通信制御部１１３に代えて、アプリケーション通信管理部１１２ｂ、及び通信制御部１１３ｂを備えて構成される。以下、第１の実施形態との差異点を主に説明する。第１の実施形態と同一の構成については、同一の符号を付してその説明を援用する。
【００６６】
アプリケーション通信管理部１１２ｂは、バックグラウンドで実行されているライセンスバンドに対応づけられているアプリケーションがアクティブになることを検知した場合、端末装置Ｔ１ｂがライセンスバンドに接続していないならば、ライセンスバンドを用いた通信の許可をユーザに求めるメッセージを含むポップアップ画面を表示部１２に表示させる。すなわち、制御部１１ｂは、周波数帯域対応情報１４１の示す周波数帯域（この一例において、ライセンスバンド）を用いた通信を開始させることに応じて、周波数帯域対応情報１４１の示す周波数帯域（この一例において、ライセンスバンド）を用いた通信の案内情報を出力する。
アプリケーション通信管理部１１２ｂは、入力部１３にライセンスバンドを用いた通信を許可することを示す操作入力があった場合、通信制御部１１３ｂにライセンス不要バンドを用いた通信を停止する命令を出力するとともに、ライセンスバンドを用いた通信を行う命令を出力する。これにより、アプリケーション通信管理部１１２ｂは、通信部１５にライセンス不要バンドを用いた通信を停止させるとともに、通信部１５にライセンスバンドを用いた通信を開始させる。すなわち、制御部１１ｂは、アプリケーションプログラムがアクティブな状態になることに応じて、周波数帯域対応情報１４１の示す周波数帯域を用いた通信以外の通信（この一例において、ライセンス不要バンドを用いた通信）を通信部１５に停止させるとともに、周波数帯域対応情報１４１の示す周波数帯域（この一例において、ライセンスバンド）を用いた通信を通信部１５に開始させる。
なお、アプリケーション通信管理部１１２ｂが、ライセンスバンドを用いた通信の許可をユーザに求める方法は、上記のようなメッセージを含むポップアップ画面を表示部１２に表示させる方法以外の方法であってもよい。
【００６７】
入力部１３にライセンスバンドを用いた通信を許可することを示す操作入力を得られない場合、通信部１５は、ライセンスバンドを用いた通信もライセンス不要バンドを用いた通信も行わない。この場合、制御部１１は、当該アプリケーションをアクティブにしないようにしてもよい。アプリケーション通信管理部１１２ｂは、ライセンスバンドを用いた通信を許可することを示す操作入力が得られなかったことを示す情報を、アプリケーション実行部１１１に送る。アプリケーション実行部１１１は、アプリケーション通信管理部１１２ｂからライセンスバンドを用いた通信を許可することを示す操作入力が得られなかったことを示す情報し、当該アプリケーションをバックグラウンドで実行させる。このとき、アプリケーション通信管理部１１２ｂは、ユーザにより通信が許可されなかったことを示すポップアップ画面を表示部１２に表示させてもよい。
【００６８】
通信制御部１１３ｂは、アプリケーション通信管理部１１２ｂから、ライセンスバンドを用いた通信を行う命令を取得した場合、第１通信部１５１及び第１ＲＦ部１５２への電力供給を開始する。これにより、通信部１５は、ライセンスバンドを用いた通信を開始する。通信制御部１１３ｂは、アプリケーション通信管理部１１２ｂから、ライセンス不要バンドを用いた通信を停止する命令を取得した場合、第２通信部１５３及び第２ＲＦ部１５４への電力供給を停止する。これにより、通信部１５は、ライセンス不要バンドを用いた通信を停止する。
【００６９】
図１６は、本実施形態に係る通信制御処理の一例を示すフローチャートである。本フローチャートに示す処理は、本フローチャートで示す処理は、端末装置Ｔ１が待機状態になった場合に開始される。
【００７０】
（ステップＳ３００）アプリケーション実行部１１１は、アプリケーションを起動し、当該アプリケーションをアクティブにする。または、アプリケーション実行部１１１は、ユーザからの操作入力に基づき、実行中のアプリケーションをアクティブにする。その後、アプリケーション実行部１１１は、ステップＳ３０１に処理を進める。
【００７１】
（ステップＳ３０１）アプリケーション通信管理部１１２ｂは、記憶部１４から周波数帯域対応情報１４１を読み込む。アプリケーション通信管理部１１２ｂは、読み込んだ周波数帯域対応情報１４１に基づき、アクティブなアプリケーションが、その実行において、ライセンス不要バンドを用いた通信を行わないアプリケーションに該当するか否かを判定する。
アプリケーション通信管理部１１２ｂは、アクティブなアプリケーションが、その実行において、ライセンス不要バンドを用いた通信を行わないアプリケーションに該当すると判定した場合（ＹＥＳ）、判定結果を示す情報を通信制御部１１３ｂに出力する。その後、アプリケーション通信管理部１１２ｂは、ステップＳ３０２に処理を進める。
一方、アクティブなアプリケーションが、その実行において、ライセンス不要バンドを用いた通信を行わないアプリケーションに該当しないと判定した場合（ＮＯ）、アプリケーション通信管理部１１２ｂは、ステップＳ３０１の処理を終了する。
【００７２】
（ステップＳ３０２）アプリケーション通信管理部１１２ｂは、通信制御部１１３ｂから通信部１５が通信に用いている周波数帯域を示す情報を取得する。アプリケーション通信管理部１１２ｂは、取得した情報に基づき、通信部１５によりライセンスバンドを用いた通信が行われているか否か判定する。アプリケーション通信管理部１１２ｂは、通信部１５によりライセンスバンドを用いた通信が行われていないと判定した場合（ＮＯ）、ステップＳ３０３に処理を進める。一方、通信部１５によりライセンスバンドを用いた通信が行われていると判定した場合（ＹＥＳ）、アプリケーション通信管理部１１２ｂは、ステップＳ３０６に処理を進める。
【００７３】
（ステップＳ３０３）アプリケーション通信管理部１１２ｂは、ライセンスバンドを用いた通信の許可をユーザに求めるメッセージを表示部１２に表示する。その後、アプリケーション通信管理部１１２ｂは、処理をステップＳ３０４に進める。
【００７４】
（ステップＳ３０４）アプリケーション通信管理部１１２ｂは、入力部１３から操作入力を取得する。アプリケーション通信管理部１１２ｂは、取得した操作入力に基づき、ライセンスバンドを用いた通信が許可されたか否か判定する。アプリケーション通信管理部１１２ｂは、ライセンスバンドを用いた通信が許可された場合（ＹＥＳ）、ステップＳ３０５に処理を進める。一方、ライセンスバンドを用いた通信が許可されなかった場合（ＮＯ）、アプリケーション通信管理部１１２ｂは、ステップＳ３０６に処理を進める。
【００７５】
（ステップＳ３０５）アプリケーション通信管理部１１２ｂは、ライセンスバンドを用いた通信を行う命令を、通信制御部１１３ｂに出力する。通信制御部１１３ｂは、取得した命令に基づき、第１通信部１５１及び第１ＲＦ部１５２への電力供給を開始する。これにより、端末装置Ｔ１ｂは、第１通信部１５１及び第１ＲＦ部１５２を通じて、ライセンスバンドを用いた通信を開始する。その後、アプリケーション通信管理部１１２ｂは、ステップＳ３０６に処理を進める。
【００７６】
（ステップＳ３０６）アプリケーション通信管理部１１２ｂは、通信制御部１１３ｂから通信部１５が通信に用いている周波数帯域を示す情報を取得する。アプリケーション通信管理部１１２ｂは、取得した情報に基づき、通信部１５によりライセンス不要バンドを用いた通信が行われているか否か判定する。アプリケーション通信管理部１１２ｂは、通信部１５によりライセンス不要バンドを用いた通信が行われていると判定した場合（ＹＥＳ）、ステップＳ３０７に処理を進める。一方、通信部１５によりライセンス不要バンドを用いた通信が行われていないと判定した場合（ＮＯ）、アプリケーション通信管理部１１２ｂは、ステップＳ３０６の処理を終了する。
【００７７】
（ステップＳ３０７）通信制御部１１３は、ライセンス不要バンドを用いた通信を切断し、ステップＳ３０７の処理を終了する。
【００７８】
図１７は、本実施形態に係る端末装置の画面の例を示す図である。この画面は、図１６で示したステップＳ３０３の処理による表示部１２の出力の一例である。タッチパネルＴＰ４０には、ライセンスバンドを用いた通信の許可をユーザに求めるメッセージ「ライセンスバンドに接続します」がポップアップ画面Ｐ４１に表示されている。ユーザは、どちらかのボタンＰ４１１又はＰ４１２に触れることにより、ライセンスバンドを用いた通信を許可するか否かを選択することができる。
【００７９】
以上に説明したように、本実施形態に係る端末装置Ｔ１ｂは、通信部１５、記憶部１４、制御部１１ｂを備える。
通信部１５は、複数の周波数帯域（この一例において、ライセンスバンド及びライセンス不要バンド）を用いて通信を行う。
記憶部１４は、アプリケーションプログラム毎に、当該アプリケーションプログラムに対応する周波数帯域を示す周波数帯域対応情報１４１ｂを記憶する。
制御部１１ｂは、アプリケーションプログラムがアクティブな状態になることに応じて、周波数帯域対応情報１４１ｂの示す周波数帯域を用いた通信以外の通信（この一例において、ライセンス不要バンドを用いた通信）を通信部１５に停止させる。
制御部１１ｂは、アプリケーションプログラムがアクティブな状態になることに応じて、周波数帯域対応情報１４１ｂの示す周波数帯域（この一例において、ライセンスバンドを用いた通信）を用いた通信を開始させる。また、制御部１１ｂは、周波数帯域対応情報１４１ｂの示す周波数帯域（この一例において、ライセンスバンドを用いた通信）を用いた通信を開始させることに応じて、周波数帯域対応情報１４１ｂの示す周波数帯域を用いた通信（この一例において、ライセンスバンドを用いた通信）の案内情報を出力する。
この構成により、本実施形態に係る端末装置Ｔ１ｂは、複数のネットワークが同時に接続されている状況での、ダウンリンクの通信においても、アプリケーション毎にネットワークを選択することができる。
【００８０】
なお、上述した実施形態における端末装置Ｔ１、Ｔ１ａ、Ｔ１ｂの一部、例えば、制御部１１、１１ａ、１１ｂ、及び記憶部１４をコンピュータで実現するようにしても良い。
その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置Ｔ１、Ｔ１ａ、Ｔ１ｂに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
また、上述した実施形態における端末装置Ｔ１、Ｔ１ａ、Ｔ１ｂの一部、または全部を、ＬＳＩ（Ｌａｒｇｅ  Ｓｃａｌｅ  Ｉｎｔｅｇｒａｔｉｏｎ）等の集積回路として実現しても良い。端末装置Ｔ１、Ｔ１ａ、Ｔ１ｂの各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００８１】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【００８２】
本発明のいくつかの態様は、複数のネットワークが同時に接続されている状況での通信において、アプリケーション毎に周波数帯域を選択することが必要な端末装置、制御方法、及びプログラムなどに適用することができる。
【符号の説明】
【００８３】
１…通信システム、Ｔ１…端末装置、Ｔ１ａ…端末装置、Ｔ１ｂ…端末装置、２０…ライセンス不要バンド基地局装置、３０…ライセンスバンド基地局装置、Ｃ０１Ａ…Ｓセル、Ｃ０１Ｂ…Ｐセル、１１…制御部、１１ａ…制御部、１１ｂ…制御部、１１１…アプリケーション実行部、１１１ａ…アプリケーション実行部、１１２…アプリケーション通信管理部、１１２ａ…アプリケーション通信管理部、１１２ｂ…アプリケーション通信管理部、１１３…通信制御部、１１３ｂ…通信制御部、１２…表示部、１３…入力部、１４…記憶部、１４１…周波数帯域対応情報、１５…通信部、１５１…第１通信部、１５２…第１ＲＦ部、１５３…第２通信部、１５４…第２ＲＦ部、ＴＰ１０…タッチパネル、ＴＰ２０…タッチパネル、ＴＰ３０…タッチパネル、ＴＰ２０ａ…タッチパネル、ＴＰ３０ａ…タッチパネル、ｂ２１…スイッチ、ｂ２２…スイッチ、ｂ２３…スイッチ、ｂ２４…スイッチ、ｂ３１…スイッチ、ｂ３２…スイッチ、ｂ３３…スイッチ、ｂ３４…スイッチ、ｂ２１ａ…スイッチ、ｂ２２ａ…スイッチ、ｂ２３ａ…スイッチ、ｂ２４ａ…スイッチ、ｂ３１ａ…スイッチ、ｂ３２ａ…スイッチ、ｂ３３ａ…スイッチ、ｂ３４ａ…スイッチ、ＴＰ４０…タッチパネル、Ｐ４１…ポップアップ画面、Ｐ４１１…ボタン、Ｐ４１２…ボタン
【図１】
2017221459.tif 000003
【図２】
2017221459.tif 000004
【図３】
2017221459.tif 000005
【図４】
2017221459.tif 000006
【図５】
2017221459.tif 000007
【図６】
2017221459.tif 000008
【図７】
2017221459.tif 000009
【図８】
2017221459.tif 000010
【図９】
2017221459.tif 000011
【図１０】
2017221459.tif 000012
【図１１】
2017221459.tif 000013
【図１２】
2017221459.tif 000014
【図１３】
2017221459.tif 000015
【図１４】
2017221459.tif 000016
【図１５】
2017221459.tif 000017
【図１６】
2017221459.tif 000018
【図１７】
2017221459.tif 000019
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
複数の周波数帯域を用いて通信を行う通信部と、
アプリケーションプログラム毎に、当該アプリケーションプログラムに対応する周波数帯域を示す周波数帯域対応情報を記憶する記憶部と、
通信に用いる複数の周波数帯域を制御する通信制御部と  を備える端末装置であって、
前記通信制御部は、前記複数の周波数帯域の中から、互いに干渉を起こしにくい周波数帯域を前記アプリケーションプログラム毎に対応づけることを特徴とする端末装置。
【請求項２】
前記複数の周波数帯域が少なくとも２つのライセンスバンドを備える、請求項１に記載の端末装置。
【請求項３】
前記複数の周波数帯域が少なくとも２つのライセンス不要バンドである、請求項１に記載の端末装置。
【請求項４】
前記アプリケーションプログラムがアクティブな状態になることに応じて、前記周波数帯域対応情報の示す周波数帯域を用いた通信以外の通信を前記通信部に停止させる制御部をさらに備える、請求項１から請求項３のいずれか一項に記載の端末装置。
【請求項５】
ユーザの操作を受け付ける入力部をさらに備え、
前記制御部は、入力部が受け付けた操作に基づいて前記周波数帯域対応情報を生成することを特徴とする請求項１から請求項４のいずれか一項に記載の端末装置。
【請求項６】
前記制御部は、前記アプリケーションプログラムがアクティブな状態になることに応じて、前記周波数帯域対応情報の示す周波数帯域を用いた通信を前記通信部に開始させることを特徴とする請求項１から請求項５のいずれか一項に記載の端末装置。
【請求項７】
前記制御部は、前記周波数帯域対応情報の示す周波数帯域を用いた通信を開始させることに応じて、前記周波数帯域対応情報の示す周波数帯域を用いた通信の案内情報を出力することを特徴とする、請求項１から請求項６のいずれか一項に記載の端末装置。
【請求項８】
端末装置における制御方法において、
複数の周波数帯域を用いて通信を行う第１の過程と、
アプリケーションプログラム毎に、当該アプリケーションプログラムに対応する周波数帯域を示す周波数帯域対応情報を記憶する第２の過程と、
通信に用いる複数の周波数帯域を制御し、前記複数の周波数帯域の中から、互いに干渉を起こしにくい周波数帯域を前記アプリケーションプログラム毎に対応づける第３の過程と、
を有することを特徴とする制御方法。
【請求項９】
前記アプリケーションプログラムがアクティブな状態になることに応じて、前記周波数帯域対応情報の示す周波数帯域を用いた通信以外の通信を停止させる第４の過程と、をさらに備える、請求項８に記載の端末装置。
【請求項１０】
コンピュータに、
複数の周波数帯域を用いて通信を行う第１ステップと、
アプリケーションプログラム毎に、当該アプリケーションプログラムに対応する周波数帯域を示す周波数帯域対応情報を記憶する第２ステップと、
通信に用いる複数の周波数帯域を制御し、前記複数の周波数帯域の中から、互いに干渉を起こしにくい周波数帯域を前記アプリケーションプログラム毎に対応づける第３ステップと、
を実行させるためのプログラム。
【請求項１１】
前記アプリケーションプログラムがアクティブな状態になることに応じて、前記周波数帯域対応情報の示す周波数帯域を用いた通信以外の通信を、前記第１ステップにおいて停止させる第４ステップをさらに実行させるための、請求項１０に記載のプログラム。
【国際調査報告】
2017221459.tif 000020
2017221459.tif 000021
2017221459.tif 000022